(57)【要約】【課題】出入口等の狭い通路を閉鎖する場合に適したパーテーションスタンドを提供することにある。【解決手段】床面に複数のスタンドを所望の間隔を存して配設し、これらスタンド相互をパーテーションによって連結し、空間を複数に区画するためのパーテーションスタンドにおいて、台座２を有し床面に立設されるポール１と、このポール１の頂部に設けられた係合部としてのスリット５と、両端部に前記スリット５に着脱可能に係合されるパーテーションエンド８を有するパーテーションとからなり、前記パーテーションは、伸縮自在なスパイラルコード７であることを特徴とする。【選択図】　　図１
0003097832.tif 000002
【実用新案登録請求の範囲】
【請求項１】
床面に複数のスタンドを所望の間隔を存して配設し、これらスタンド相互をパーテーションによって連結し、空間を複数に区画するためのパーテーションスタンドにおいて、
台座を有し床面に立設されるポールと、このポールの頂部に設けられた係合部と、両端部に前記係合部に着脱可能に係合されるパーテーションエンドを有するパーテーションとからなり、前記パーテーションは、伸縮自在なスパイラルコードであることを特徴とするパーテーションスタンド。
【請求項２】
床面に複数のスタンドを所望の間隔を存して配設し、これらスタンド相互をパーテーションによって連結し、空間を複数に区画するためのパーテーションスタンドにおいて、
台座を有し床面に立設されるポールと、このポールの頂部における周壁に設けられた上部開口のスリットと、前記ポールの頂部に設けられ、前記スリットの上部開口を閉塞するキャップと、両端部に前記上部開口からスリットに着脱可能に係合されるパーテーションエンドを有するパーテーションとからなり、前記パーテーションは、伸縮自在なスパイラルコードであることを特徴とするパーテーションスタンド。
【請求項３】
前記スパイラルコードは、合成樹脂材料または軽金属材料であることを特徴とする請求項１または２記載のパーテーションスタンド。
【考案の詳細な説明】
【０００１】
【考案の属する技術分野】
この考案は、床面に複数のスタンドを所望の間隔を存して配設し、これらスタンド相互をパーテーションによって連結し、空間を複数に区画するためのパーテーションスタンドに関する。
【０００２】
【従来の技術】
オフィスや病院、ホテルのロビー等の限られたスペースを有効に利用するため、或いはイベント会場等の広いスペースを複数のコーナに区画するために、従来においては、簡易的なプレートタイプの間仕切りやプランターボックス等を使用している。
【０００３】
しかし、これらの間仕切りは使用しない場合には移動が困難であるとともに、保管スペースも広く必要であるという問題がある。そこで、区画変更も簡単に行え、また撤去も簡単で便利なパーテーションスタンドが普及している。
【０００４】
このパーテーションスタンドは、床面に複数のスタンドを所望の間隔を存して立設し、これらスタンド相互を繊維等のロープによって連結し、空間を複数に区画するようになっている。
【０００５】
すなわち、ポールからなるスタンドの上端部に連結リング等が設けられ、ロープの両端部に設けられたフック等をスタンドの上端部の連結リングに引掛けることにより連結してスタンドとロープによってパーテーションを構成したものである。
【０００６】
【考案が解決しようとする課題】
ところで、従来のロープ式のパーテーションスタンドは、ロープの長さによってパーテーション間隔が決定されるため、ロープの長さが異なる複数種類のパーテーションスタンドを用意する必要がある。また、広い空間を区画する場合には、複数個のパーテーションスタンドを配置する必要があり、複数個のパーテーションスタンドを用意する場合にはコストアップの原因となる。
【０００７】
この考案は、前記事情に着目してなされたもので、その目的とするところは、簡易間仕切りとして、特に狭い空間を区画したり、出入口等の狭い通路を閉鎖する場合に適し、パーテーション間隔が変動してもパーテーションの伸縮によって対応できるパーテーションスタンドを提供することにある。
【０００８】
【課題を解決するための手段】
この考案は、前述した目的を達成するために、請求項１は、床面に複数のスタンドを所望の間隔を存して配設し、これらスタンド相互をパーテーションによって連結し、空間を複数に区画するためのパーテーションスタンドにおいて、台座を有し床面に立設されるポールと、このポールの頂部に設けられた係合部と、両端部に前記係合部に着脱可能に係合されるパーテーションエンドを有するパーテーションとからなり、前記パーテーションは、伸縮自在なスパイラルコードであることを特徴とする。
【０００９】
請求項２は、床面に複数のスタンドを所望の間隔を存して配設し、これらスタンド相互をパーテーションによって連結し、空間を複数に区画するためのパーテーションスタンドにおいて、台座を有し床面に立設されるポールと、このポールの頂部における周壁に設けられた上部開口のスリットと、前記ポールの頂部に設けられ、前記スリットの上部開口を閉塞するキャップと、両端部に前記上部開口からスリットに着脱可能に係合されるパーテーションエンドを有するパーテーションとからなり、前記パーテーションは、伸縮自在なスパイラルコードであることを特徴とする。
【００１０】
請求項３は、請求項１または２記載の前記スパイラルコードは、合成樹脂材料または軽金属材料であることを特徴とする。
【００１１】
【考案の実施の形態】
以下、この考案の実施の形態を図面に基づいて説明する。
【００１２】
図１はパーテーションスタンドを示し、（ａ）は正面図、（ｂ）は平面図、図２は図１のＡ部を拡大した正面図である。図中、１は例えばアルミニウム等の中空のポールであり、このポール１の下端部には板状体からなる台座２が設けられ、床面に対してポール１を垂直に立設できるように構成されている。
【００１３】
ポール１の上端面には開口部３を有する筒部４が設けられ、この筒部４の周壁には周方向に等間隔に複数の係合部としての上部開口５ａのスリット５が設けられている。ポール１の開口部３は円盤状のキャップ６によって閉塞されている。このキャップ６は引張りばね（図示しない）によって閉塞する方向に付勢されている。従って、キャップ６の外周縁部６ａによってスリット５の上部開口５ａを閉塞しており、キャップ６を引張りばねの付勢力に抗して引き上げると、スリット５の上部開口５ａが開口するようになっている。
【００１４】
一方、７はパーテーションとしてのスパイラルコードであり、このスパイラルコード７は、例えばポリプロピレン等の合成樹脂材料によって伸縮自在に形成されている。このスパイラルコード７の両端部には例えばアルミニウム等によって形成されたパーテーションエンド８が設けられている。このパーテーションエンド８は円筒状で、その端部にはテーパ部９を介して係合部材１０が設けられている。この係合部材１０は、前記スリット５に挿入可能な太さに形成されたネック部１０ａと、このネック部１０ａの先端部に形成され前記スリット５の幅より大きい突起部１０ｂとから形成されている。
【００１５】
そして、パーテーションエンド８は、ポール１のキャップ６を手指によって引き上げ、スリット５の上部開口５ａを開口した状態で、係合部材１０のネック部１０ａをスリット５の上部開口５ａから挿入することにより、突起部１０ｂがスリット５に係合して連結されるようになっている。逆に、ポール１とスパイラルコード７とを切り離す際には、ポール１のキャップ６を手指によって引き上げ、スリット５の上部開口５ａを開口した状態で、係合部材１０のネック部１０ａをスリット５の上部開口５ａから引抜くことにより、簡単に切り離すことができる。
【００１６】
従って、オフィスや病院、ホテルのロビー等の限られたスペースを有効に利用するため、或いはイベント会場等の広いスペースを複数のコーナに区画したり、出入口のような狭い通路を遮蔽するために、床面に複数のポール１を所望の間隔を存して立設し、これらポール１とポール１との間をスパイラルコード７によって連結することにより、簡易間仕切りとすることができる。また、この状態で、ポール１を移動してポール１相互間の間隔を変更しても、スパイラルコード７が伸縮するため、間仕切り間隔を任意に変更できる。
【００１７】
また、パーテーションスタンドの不使用時にはポール１相互を引き揃えることにより、スパイラルコード７が収縮するとともに略Ｕ字状に湾曲し、不使用時における美観も優れている。
【００１８】
さらに、ポール１には複数のスリット５が設けられているため、１本のポール１に複数本のスパイラルコード７を連結することも、ポール１を介して複数のスパイラルコード７を連結してパーテーション範囲を拡張することもできる。
【００１９】
なお、前記実施形態においては、スパイラルコード７をポリプロピレン等の合成樹脂材料によって形成したが、軽金属材料で形成してもよく、材料に限定されるものではない。
【００２０】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【００２１】
【考案の効果】
以上説明したように、この考案によれば、簡易間仕切りとして、特に狭い空間を区画したり、出入口等の狭い通路を閉鎖する場合に適したパーテーションスタンドを提供できる。さらに、パーテーションをスパイラルコードによって形成したから、スパイラルコードの伸縮によってパーテーション間隔の変動に対応できるため、コストダウンと美観を向上できるという効果がある。
【図面の簡単な説明】
【図１】この考案の第１の実施形態のパーテーションスタンドを示し、（ａ）は正面図、（ｂ）は平面図。
【図２】図１のＡ部を拡大した正面図。
【符号の説明】
１…ポール、２…台座、５…スリット（係合部）、６…キャップ、７…スパイラルコード、８…パーテーションエンド
【図１】
0003097832.tif 000003
【図２】
0003097832.tif 000004